(57)【要約】【課題】  本発明は、従来にない作用効果を発揮する画期的な頭蓋骨治療装置を提供することを目的とする。【解決手段】  頭部１の周囲に配設される頭部配設体２を有し、この頭部配設体２には、頭蓋骨片３に止着される止着体４を、頭蓋骨片３同志が離れる方向に引動した引動状態を維持する引動維持部６が設けられたものである。【選択図】      図１
2005131284.tif 000002
【特許請求の範囲】
【請求項１】
頭部の周囲に配設される頭部配設体を有し、この頭部配設体には、頭蓋骨片に止着される止着体を、頭蓋骨片同志が離れる方向に引動した引動状態を維持する引動維持部が設けられていることを特徴とする頭蓋骨治療装置。
【請求項２】
請求項１記載の頭蓋骨治療装置において、前記頭部配設体は、頭部の上部に所定の間隔を介して被嵌されるカゴ状体であることを特徴とする頭蓋骨治療装置。
【請求項３】
請求項１，２のいずれか１項に記載の頭蓋骨治療装置において、前記引動維持部が引動する方向は頭部の放射方向であることを特徴とする頭蓋骨治療装置。
【請求項４】
請求項１〜３のいずれか１項に記載の頭蓋骨治療装置において、前記引動維持部は、止着体を引動し、且つ該引動状態を維持するように構成されていることを特徴とする頭蓋骨治療装置。
【請求項５】
請求項１〜４のいずれか１項に記載の頭蓋骨治療装置において、前記止着体と引動維持部とは線状部材で連結されており、該線状部材により止着体を引動し、且つ引動状態を引動維持部により維持するように構成されていることを特徴とする頭蓋骨治療装置。
【請求項６】
請求項１〜５のいずれか１項に記載の頭蓋骨治療装置において、前記引動維持部は前記頭部配設体の任意の位置に着脱自在に設けられていることを特徴とする頭蓋骨治療装置。
【請求項７】
請求項１〜６いずれか１項に記載の頭蓋骨治療装置において、前記止着体は、頭蓋骨片に挿入される挿入部を有し、この挿入部の基端側には該挿入部よりも径大で、該挿入部が頭蓋骨片へ没入することを阻止する径大部が形成され、この径大部の前記挿入部側の下面は湾曲面若しくは傾斜面に形成されていることを特徴とする頭蓋骨治療装置。
【発明の詳細な説明】
【技術分野】
【０００１】
本発明は、頭蓋骨治療装置に関するものである。
【背景技術】
【０００２】
発達期にある小児の頭蓋骨は、頭蓋縫合線を境に複数に分割されている。これは、脳が大きくなる（膨らむ）ことに対応して頭蓋骨も大きくなる必要があるからであり（脳が大きくなることで離される頭蓋縫合線の対向端部同志は癒合する（くっつく）方向へ伸び、よって、頭蓋骨も大きくなる。）、脳の発達が完了した時点でこの頭蓋縫合線が癒合するようになっている。
【０００３】
ところで、この脳が発達するまでに、頭蓋縫合線の一部、または全部が早い時期に癒合してしまい、この頭蓋縫合線が癒合した状態で脳の発達が進むことで、脳が圧迫され、更に、頭蓋骨が変形してしまう頭蓋骨早期癒合症がある。
【０００４】
従来、この頭蓋骨早期癒合症を治療するための頭蓋骨治療装置（以下、従来例）が提案されている。
【０００５】
この従来例は、図12に図示したように頭蓋骨片33の癒合した部分を切り離した各頭蓋骨片33に止着される止着体34と、この各頭蓋骨片33に止着した止着体34の嵌挿部34ａに嵌挿されて該止着体34間に架設状態となるネジ棒35とからなるものであり、このネジ棒35を螺動させることで頭蓋骨片33に止着される止着体34同志を離し、これにより頭蓋骨片33同志が癒合することを防止して頭蓋骨片33同志間の距離を徐々に広げながら脳の発達に支障が無いように頭蓋骨片33を延長することができる。
【０００６】
また、この従来例は、頭蓋骨早期癒合症の治療に限らず、頭蓋骨片33の奇形治療や骨折治療など、頭蓋骨片33の治療（骨延長法）に際して広く利用されている。
【発明の開示】
【発明が解決しようとする課題】
【０００７】
しかしながら、本出願人は、この従来例について種々試して見たところ、従来例は、前述したように単なる直線状のネジ棒35に対して止着体34が移動することにより骨片33ａ同志の間隔を調整するという構造上、頭蓋骨片33を頭蓋骨の周面方向（図１２矢印ａ方向）に離すだけであり、脳の発達に対応した頭蓋骨片33の矯正を良好に行うことができない（丸みを帯びた頭蓋骨片33となるように矯正できない）という問題点があることを確認した。
【０００８】
本出願人は、上述した問題点に着目し、研究・開発を繰り返し行った結果、従来にない作用効果を発揮する画期的な頭蓋骨治療装置を開発した。
【課題を解決するための手段】
【０００９】
添付図面を参照して本発明の要旨を説明する。
【００１０】
頭部１の周囲に配設される頭部配設体２を有し、この頭部配設体２には、頭蓋骨片３に止着される止着体４を、頭蓋骨片３同志が離れる方向に引動した引動状態を維持する引動維持部６が設けられていることを特徴とする頭蓋骨治療装置に係るものである。
【００１１】
また、請求項１記載の頭蓋骨治療装置において、前記頭部配設体２は、頭部１の上部に所定の間隔を介して被嵌されるカゴ状体であることを特徴とする頭蓋骨治療装置に係るものである。
【００１２】
また、請求項１，２のいずれか１項に記載の頭蓋骨治療装置において、前記引動維持部６が引動する方向は頭部１の放射方向であることを特徴とする頭蓋骨治療装置に係るものである。
【００１３】
また、請求項１〜３のいずれか１項に記載の頭蓋骨治療装置において、前記引動維持部６は、止着体４を引動し、且つ該引動状態を維持するように構成されていることを特徴とする頭蓋骨治療装置に係るものである。
【００１４】
また、請求項１〜４のいずれか１項に記載の頭蓋骨治療装置において、前記止着体４と引動維持部６とは線状部材５で連結されており、該線状部材５により止着体４を引動し、且つ引動状態を引動維持部６により維持するように構成されていることを特徴とする頭蓋骨治療装置に係るものである。
【００１５】
また、請求項１〜５のいずれか１項に記載の頭蓋骨治療装置において、前記引動維持部６は前記頭部配設体２の任意の位置に着脱自在に設けられていることを特徴とする頭蓋骨治療装置に係るものである。
【００１６】
また、請求項１〜６いずれか１項に記載の頭蓋骨治療装置において、前記止着体４は、頭蓋骨片３に挿入される挿入部４ａを有し、この挿入部４ａの基端側には該挿入部４ａよりも径大で、該挿入部４ａが頭蓋骨片３へ没入することを阻止する径大部４ｂが形成され、この径大部４ｂの前記挿入部４ａ側の下面は湾曲面若しくは傾斜面に形成されていることを特徴とする頭蓋骨治療装置に係るものである。
【発明の効果】
【００１７】
本発明は上述のように構成したから、処置後における頭蓋骨の状態が極めて良好となる質の高い処置が簡易に且つ確実に良好に行われることになるなど極めて商品価値の高い画期的な頭蓋骨治療装置となる。
【発明を実施するための最良の形態】
【００１８】
好適と考える本発明の最良の形態を、図面に基づいて本発明の作用効果を示して簡単に説明する。
【００１９】
本発明は、頭部１の周囲に頭部配設体２を配設し、該頭部配設体２に設けた引動維持部６により頭蓋骨片３に止着される止着体４を引動した引動状態が維持され、この引動状態は、頭蓋骨片３同志が離れる方向での引動状態であるから、頭蓋骨片３の癒合は阻止される。
【００２０】
例えば頭蓋骨早期癒合症の処置に際して使用する場合、各頭蓋骨片３を頭部１の放射方向、即ち、各頭蓋骨片３同志が離れる方向へ引動された状態が維持されるから、頭蓋骨片３同志の癒合が阻止され、更に、頭蓋骨片３は、従来例のように２次元方向ではなく、３次元方向に引動されるから、脳の発達方向（膨らむ方向に）に合致し、よって、処置後の頭蓋骨片３の形状を極めて良好にすることができる。
【実施例】
【００２１】
本発明の具体的な実施例について図面に基づいて説明する。
【００２２】
本実施例は、頭部１の周囲に配設される頭部配設体２を有し、この頭部配設体２には、頭蓋骨片３に止着される止着体４を、頭蓋骨片３同志が離れる方向に引動した引動状態を維持する引動維持部６が設けられたものである。
【００２３】
以下、本実施例に係る構成各部について詳細な説明をする。
【００２４】
頭部配設体２は、図１に図示したように適宜な金属製の薄板材を湾曲面状（カゴ状若しくはヘルメット状）に形成したものであり、左右一対の半体２Ａ，２Ｂを連結して構成されている。
【００２５】
具体的には、半体２Ａ，２Ｂは、夫々図１に図示したように中央枠部８ａ、下枠部８ｂ及び後枠部８ｃから成る枠部８と、該枠部８間に架設される架設部９とで構成されている。
【００２６】
この中央枠部８ａには、所定間隔を介して複数の孔10が形成されており、また、半体２Ａ，２Ｂ同志は連結部材７により連結される。
【００２７】
連結部材７は、適宜な金属製の部材を板状に形成したものであり、その左右位置に止着部材11を任意の位置で連結し得る連結長孔７ａが設けられており、よって、連結部材７により半体２Ａ，２Ｂ同志を接離移動させた任意の位置で固定し、頭部配設体２の大きさを頭部１の大きさに合致させる。
【００２８】
また、枠部８に係る下枠部８ｂには、その後方位置に複数（６個）の孔12が並設されており、この孔12は頭部配設体２（半体２Ａ，２Ｂ）を頭部１に固定するための固定用杆部材13を嵌挿する嵌挿孔12として構成されている。
【００２９】
この固定用杆部材13は、適宜な金属製の部材を棒状に形成したものであり、その先端部に後述の頭蓋骨の側部に止着される止着体14の基端部に螺着連結するネジ部13ａが突設されており、頭部配設体２に設けた嵌挿孔12に嵌挿させた状態で該止着体14に螺着し、頭部配設体２を頭部１の上部に所定の間隔を介して固定させる。
【００３０】
架設部９は、図１，２に図示したように線状材９ａを交叉連設させてその表面に多数の貫通孔９ｂを有するメッシュ状に形成されており、図面の場合、この各貫通孔９ｂは三角形状に設定され、この貫通孔９ｂを介して後述の止着体４に連設される線状部材５を頭部配設体２の外部へ配設することができる。尚、架設部９は、線状材９ａに限らず帯状材でも良い。
【００３１】
この貫通孔９ｂの大きさは、どのような大きさでも良いが、線状部材５の取り扱い性や通気性や軽量化を考慮すると貫通孔９ｂはなるべく大きい方が良く、しかも、この貫通孔９ｂの形状としては、丸形状や四角形状なども考えられるが、三角形状は可及的に肉を取ることができる故に軽量化に適しており、しかも、強度面及び量産面を考慮すると三角形状が望ましいと考えられる。
【００３２】
また、架設部９は、その線状材９ａが交叉する各交叉部に孔15が設けられており、この孔15は後述の引動維持部６に係る引動維持体16を螺着する為のネジ孔15として構成されている。
【００３３】
引動維持部６は、頭部配設体２に着脱自在となる引動維持体16を設けて構成されている。
【００３４】
具体的には、この引動維持体16は、図３に図示したようにその下部に前述した頭部配設体２に設けたネジ孔15に螺着するネジ部25ａを突設した連結本体25と、この連結本体25の前後面に貫通するネジ孔25ｂに螺着される移動体26とで構成されている。
【００３５】
この移動体26は、その先端部にして連結本体25の正面から突出する部位に筒状体26ａが回動自在に被嵌連結されており、この筒状体26ａは後述の止着体４に連結される線状部材５（ワイヤー）を連結する連結部26ａとして構成されている。
【００３６】
従って、移動体26を螺動させると、連結部26ａは回動せずして連結本体25に対して図３中矢印ａ方向に接離移動自在となる。
【００３７】
符号27はネジ部25ａに螺合されたナット部材であり、このナット部材27を押さえて連結本体25を回動させることでネジ部25ａがネジ孔15に螺着される。符号28は連結本体25に対する移動体26の回動移動を阻止するダブルナット構造の回動阻止部材である。
【００３８】
止着体４は、図４に図示したように適宜な金属製の部材を形成したものであり、その先端部にはスクリュー状の挿入部４ａが形成され、この挿入部４ａを頭蓋骨片３に形成される止着穴３ａに螺入させて止着し得るように構成されている。
【００３９】
また、止着体４は、挿入部４ａの基端部に該挿入部４ａよりも径大で、該挿入部４ａが頭蓋骨片３へ没入することを阻止する球状の径大部４ｂが形成されている。従って、この径大部４ｂの下面にして頭蓋骨片３に当接する当接面は湾曲面となる。
【００４０】
これは、仮に図５に図示したように挿入部４ａ'の基端径大部４ｂ'がフランジ状であった場合、少しでも止着体４'を頭蓋骨片３に傾斜した状態で螺着してしまうと該挿入部４ａ'が十分に頭蓋骨片３へ螺入されないことが生じ得るが、この点、本実施例は、前述した構成を採用することで、その本来の機能（過度挿入阻止機能）を十分に発揮しつつ挿入部４ａは確実に頭蓋骨片３に螺入されることになる（図４，５中の二点鎖線は頭蓋骨片３に対して止着体４，４'を真っ直ぐに螺入した状態を示している。）。
【００４１】
また、この径大部４ｂを球状としたことは、治療後における頭部１から止着体４を外す際にも有効である。
【００４２】
即ち、仮に図５に図示したように挿入部４ａ'の基端径大部４ｂ'がフランジ状であった場合、この径大部４ｂ'の上面が皮膚に引っ掛かる為、頭部１から止着体４を外す際には皮膚を切開する必要があるが、この点、本実施例は、径大部４ｂを球状としたから、この径大部４ｂの上面が皮膚に引っ掛かることはなく、よって、皮膚を切開する必要はなく、止着体４を頭蓋骨片３から外して引き抜くだけで皮膚を可及的に傷めず頭部１から外すことができることになる（患者に与えるダメージを軽減できる。）。
【００４３】
また、止着体４は、その基端部に孔４ｃが形成されており、この孔４ｃは線状部材５（ワイヤー）を連結する連結孔４ｃとして構成されている。
【００４４】
この止着体４を頭蓋骨片３に止着する場合には、穿孔具21を使用して頭蓋骨片３に止着穴３ａを形成し、この止着穴３ａに止着体４を止着することになる。
【００４５】
以上の構成から、図６に図示したように頭部配設体２に連結された引動維持体16の移動体16Ｂを螺動させて後方へ移動させると、止着体４の連結孔４ｃに連結される線状部材５は、該止着体４の上方に位置する頭部配設体２の貫通孔９ａの開口縁を経由して引っ張られることになり、よって、止着体４が引動されて頭蓋骨片３が上方（頭部１の放射方向）へ引動され、そして、この引動維持体16の移動を停止すると頭蓋骨片３の引動状態が維持されることになる。
【００４６】
尚、線状部材５として、ワイヤーを採用しているが、この線状部材５とは紐状のものだけに限らず、棒状のものなど広い範囲の概念を含むものである。
【００４７】
止着部形成具18は、図７に図示したように適宜な金属製の部材を形成したものであり、左右に分割される平面視Ｕ字状の枠状体であって、前述した頭部配設体２の下枠部８ｂに合致する形状となるように構成されている。
【００４８】
また、止着部形成具18は、その先端部に設けた間隔調整機構19の調節により頭部１の大きさに合わせて大きさを設定することができる。
【００４９】
また、止着部形成具18は、その左右の側方直線部に孔20が６個づつ並設されており、この孔20は、前述した頭部配設体２に設けた嵌挿孔12と合致する位置に設けられており、頭蓋骨片３に止着体14を止着する止着穴３ａを形成するための穿孔具21及び止着体14を回動止着させる回動具22をガイドするガイド孔としての機能を発揮する。
【００５０】
また、止着部形成具18は、更に、その全周（側方直線部及び前方湾曲部）に所定間隔を介して孔23が計６個形成されており、この孔23は止着部形成具18を頭部１に配設した状態で該止着部形成具18を頭部１に固定する為の固定杆24を嵌挿する嵌挿孔としての機能を発揮する。
【００５１】
具体的に、この止着部形成具18を使用した頭蓋骨片３に対する止着体14の止着方法について説明すると、図８に図示したように頭部１の周囲に止着部形成具18を配して孔23に固定杆24を貫通させ、該固定杆24を頭蓋骨の側部に止着し、該止着部形成具18を所定位置に固定する。この状態で孔20にガイド筒体21ａとドリル21ｂとからなる穿孔具21を嵌挿して頭蓋骨片３の所定位置に止着穴３ａを形成し（図８中（ａ）参照）、この止着穴３ａに回動具22を使用して止着部材14を回動止着し（図８中（ｂ）参照）、その後、この頭蓋骨片３に止着した止着部材14に前述した頭部配設体２に連結される固定用杆部材13を連結する（図８中（ｃ）参照）。
【００５２】
尚、止着部材14は、前述した止着体４と略同構造であり、その基端部には固定用杆部材13の先端部に突設されるネジ部13ａを螺着するネジ穴が形成されている。
【００５３】
以上の構成からなる本実施例を使用した頭蓋骨早期癒合症の処置を説明する。尚、本実施例は、頭蓋骨早期癒合症の処置に限らず、頭蓋骨片３の奇形治療や骨折治療など、頭蓋骨片３の治療（骨延長法）に際して広く利用される。
【００５４】
まず、頭皮を切開して頭蓋骨片３を分割し、この各頭蓋骨片３に線状部材５付きの止着体４を止着する。この止着体４を止着する際には前述したように予め穿孔具21により頭蓋骨片３に形成した止着穴３ａに止着する。
【００５５】
続いて、止着部形成具18を使用して頭蓋骨片３の側部に止着部材14を止着して該止着部材14に固定用杆部材13を連結し、この固定用杆部材13を嵌挿孔12に嵌挿させながら頭部配設体２を構成する半体２Ａ，２Ｂ夫々を左右から配して該半体２Ａ，２Ｂ同志を連結し、頭部配設体２を頭部１に被嵌状態とする。
【００５６】
続いて、止着体４に連設されている線状部材５を該止着体４の真上に位置する頭部配設体２の貫通孔９ｂを通して外部に配設させ、この貫通孔９ｂから配設した部分に引動維持体16（引動維持部６）に係る移動体26の連結部26ａを連結して、連結本体25のネジ部25ａを頭部配設体２のネジ孔15に螺着する。この線状部材５を引動維持体16に連結する時期は、該引動維持体16を頭部配設体２に連結した後、該引動維持体16に線状部材５を連結するようにしても良い。
【００５７】
続いて、前述のようにセットした各引動維持体16を操作することで止着体４を上方へ引動して、頭蓋骨片３同志を離しながら、該各頭蓋骨片３を頭部１の放射方向へ移動させ（各頭蓋骨片３を放射方向に引動することで、所謂球体の径が大きくなるように頭蓋骨片３同志は離れながら３次元方向へ移動することになる。）、この引動状態を維持することができる（図９，１０参照）。図１１は本装置を使用して離された頭蓋骨片３同志が延びて癒合した状態（処置が完了した状態）を図示している。
【００５８】
本実施例は上述のように構成したから、各頭蓋骨片３を頭部１の放射方向、即ち、各頭蓋骨片３同志が離れる方向へ引動された状態が維持されるから、頭蓋骨片３同志の癒合が阻止され、更に、頭蓋骨片３は、従来例のように２次元方向ではなく、３次元方向に引動されるから、脳の発達方向（膨らむ方向に）に合致し、よって、処置後の頭蓋骨片３の形状を極めて良好にすることができる。
【００５９】
尚、本発明は、本実施例に限られるものではなく、各構成要件の具体的構成は適宜設計し得るものである。
【図面の簡単な説明】
【００６０】
【図１】本実施例を示す斜視図である。
【図２】本実施例に係る要部の部分拡大図である。
【図３】本実施例に係る要部を示す斜視図である。
【図４】本実施例に係る止着体４の説明図である。
【図５】本実施例に係る止着体４の比較対照物の説明図である。
【図６】本実施例に係る要部の概略動作説明図である。
【図７】本実施例に係る要部を示す斜視図である。
【図８】本実施例に係る要部の概略動作説明図である。
【図９】本実施例の使用状態説明図である。
【図１０】本実施例の使用状態説明図である。
【図１１】本実施例の使用状態説明図である。
【図１２】従来例の使用状態説明図である。
【符号の説明】
【００６１】
１  頭部
２  頭部配設体
３  頭蓋骨片
４  止着体
４ａ  挿入部
４ｂ  径大部
５  線状部材
６  引動維持部
【図１】
2005131284.tif 000003
【図２】
2005131284.tif 000004
【図３】
2005131284.tif 000005
【図４】
2005131284.tif 000006
【図５】
2005131284.tif 000007
【図６】
2005131284.tif 000008
【図７】
2005131284.tif 000009
【図８】
2005131284.tif 000010
【図９】
2005131284.tif 000011
【図１０】
2005131284.tif 000012
【図１１】
2005131284.tif 000013
【図１２】
2005131284.tif 000014